(57)【要約】【課題】本考案は、テレビジョンカメラの放熱構造に関するもので従来は、カメラ内部の固体撮像素子近傍にファンを配置していた。しかし、ファンの対流が拡散し効率的に固体撮像素子の放熱フィンに送風できなかった。【解決手段】固体撮像素子の放熱フィンの横に実装するファンをＲ、Ｇ、Ｂ各チャンネルに直接風を吹きつける導翼を有したケース内部に実装することで固体撮像素子のＲ、Ｇ、Ｂ各チャンネルの冷却効率を向上させる放熱構造とした。【選択図】図１
2009206951.tif 000002
【特許請求の範囲】
【請求項１】
固体撮像素子を有した三板式カメラにおいて、上記固体撮像素子それぞれに設けられた放熱フィンと、外部からの空気を吸入し上記放熱フィンのそれぞれに上記空気を出力するファンと、上記ファンを収納するファンケース及びファンカバーと、上記ファンケースに設けられ上記放熱フィンそれぞれに上記ファンの出力風を導くためのガイド手段を備えたことを特徴とする三板式カメラ。
【発明の詳細な説明】
【技術分野】
【０００１】
本発明は、三板式カメラに関わり、特に三板式カメラの冷却構造に関するものである。
【背景技術】
【０００２】
従来の三板式カメラのＣＣＤ（ Charge Coupled Device ）等の固体撮像素子の冷却構造は、固体撮像素子に設けられた放熱フィンの両サイドにファンを有し、放熱フィンに対し吹き付け用と吸出し用の２つのファンを使用していた。
または、片側に一つのファンを配置し、吹きつけ用、または、吸出し用として使用していた。
【０００３】
図６〜図９によって、従来の三板式カメラの冷却構造を説明する。なお、従来例及び実施例の各図において、共通な機能を有する構成要素には同一の参照番号を付し、説明の重複を避け、できるだけ説明を省略する。
図６は、従来の三板式カメラの外観を示す斜視図である。６０は三板式カメラ、６１はトップフレーム、６２はリアパネル、６３は右サイドカバー、６９は電子部品用の放熱フィン、７１は接続端子用パネル部、８１は右サイドカバー６３に設けられたスリット孔、８２はリアパネル６２に設けられたスリット孔である。また図７は、図６の三板式カメラ６０の両サイドのサイドカバーを取り外した図で、６４は左サイドカバー、１１ＢはＢｃｈの固体撮像素子の放熱フィン、１１ＧはＧｃｈの固体撮像素子の放熱フィン、１１ＲはＲｃｈの固体撮像素子の放熱フィン、６７は吹き付け用のファン、８３は左サイドカバー６４に設けられたスリット孔、８４は右サイドカバー６３に設けられた開口部である。また図８は、図６の三板式カメラ６０の両サイドのサイドカバー６３と６４、及びトップフレーム６１を取り外した斜視図で、６５はフロントパネル、６６はボトムフレーム、６８は電子部品部である。また図９は、図８の状態の三板式カメラ６０を右サイドから見た側面図で、７２はレンズマウント、７３は３色分解プリズムである。
図６〜図９において、ファン６７は三板式カメラ６０内の空気を右サイドカバー６３のスリット孔８１を通して内部に吸気して、発熱部に設けられた放熱フィンに冷却用の空気を吹き付ける。三板式カメラ６０では、内部に空気が吹き付けられることによって、左サイドカバー６４のスリット孔８３や、スリット孔８２、等を通して、外部に温かい空気が排気される。このような空気の流れによって、三板式カメラ６０内部を冷却する。
【０００４】
【特許文献１】特開２００６−２９５８５５号公報
【発明の開示】
【発明が解決しようとする課題】
【０００５】
上述の従来技術では、ＣＣＤ等の固体撮像素子の放熱フィンにファンの風（空気）を通過させようとしても、Ｒ、Ｇ、Ｂの各チャンネル（Ｒｃｈ、Ｇｃｈ、Ｂｃｈ）の位置関係が離れているため、カメラの光軸中心部の横に配置した場合にはＧチャンネルは冷却できるが、ＲチャンネルとＢチャンネルは、ファンの風（空気）があまり流れず、ファンの対流が拡散し、冷却効率が悪い。これは、ファンを１つ使用した場合だけでなく、両サイドに２つ設けた場合（例えば、一方が吹き付け用で、他方が吐き出し用）においても同様である。また、ファンを２つ使用した場合には、原価及び消費電力が増えるので問題であるである。
同様に、特許文献１のように上部に配置し、下方向の空気を吸い込み横方向に排気するファンを用いた場合にも、全てのチャンネルの固体撮像素子を平等に冷却するのが困難であった。
本発明の目的は、上記のような問題に鑑み、局部発熱する三板式カメラのＣＣＤ等の固体撮像素子を効率良く平等に冷却する構造を備えた三板式カメラを提供することにある。
【課題を解決するための手段】
【０００６】
上記の目的を達成するため、本発明の三板式カメラは、ファンを使用し、これをＲ、Ｇ、Ｂの各チャンネルに直接風を吹きつける導翼を有したケースに実装し固体撮像素子の冷却用放熱フィンそれぞれの右側、または、左側に配置したものである。
即ち、本発明の三板式カメラは、固体撮像素子を有した三板式カメラにおいて、上記固体撮像素子それぞれに設けられた放熱フィンと、外部からの空気を吸入し上記放熱フィンのそれぞれに上記空気を出力するファンと、上記ファンを収納するファンケース及びファンカバーと、上記ファンケースに設けられ上記放熱フィンそれぞれに上記ファンの出力風を導くためのガイド手段を備えたものである。
また好ましくは、上記発明の三板式カメラは、上記ガイド手段は、上記固体撮像素子それぞれに対応して、上記ファンケースのガイド穴と、上記放熱フィンを覆うフィンカバーとを備えたものである。
【発明の効果】
【０００７】
本発明によれば、固体撮像素子のＲ、Ｇ、Ｂの各チャンネルの冷却効率を向上させることが可能となった。また、固体撮像素子の局部発熱を抑えることにより、固体撮像素子に対する負荷を最小限にするとともに冷却することが可能となる。
【発明を実施するための最良の形態】
【０００８】
以下に本発明の一実施例を図１によって説明する。図１は、本発明の一実施例の三板式カメラのフロントパネル部と固体撮像素子及びその周辺部分を取り出した図である。１はファン、２はファン１を収納するファンケース、３はファンケース２を覆うファンカバー、４ＢはＢチャンネルの固体撮像素子に設けられた放熱フィン、４ＧはＧチャンネルの固体撮像素子に設けられた放熱フィン、４ＲはＲチャンネルの固体撮像素子に設けられた放熱フィン、５ＧはＧチャンネルの放熱フィン４Ｇを覆うフィンカバー、８Ｇはファンケース２に設けられたフィンカバー５Ｇの開口部からファン１の出力風を吹き付けるためのガイド穴、８Ｂはファンケース２に設けられた図示しないフィンカバー５Ｂの開口部からファン１の出力風を吹き付けるためのガイド穴、８Ｒはファンケース２に設けられた図示しないフィンカバー５Ｒの開口部からファン１の出力風を吹き付けるためのガイド穴、１１はフロントパネル、１２は３色分解プリズム、１３はファンカバー３に設けられた開口部である。なお、図１では、Ｂチャンネルの放熱フィン４Ｂのフィンカバー５Ｂと、Ｒチャンネルの放熱フィン４Ｒの放熱カバー５Ｒを省略して図示していない。以降、フィンカバー５Ｇで代表して本発明を説明するが、全て同様である。固体撮像素子は、例えば、ＣＣＤ（ Charge Coupled Device ）である。
【０００９】
図１において、フィンカバー５Ｂ、５Ｇ、及び５Ｒは、各放熱フィン４Ｂ、４Ｇ、及び４Ｒを覆い、フィンカバー５Ｇのファン１側及びその反対側に空気が出入りする開口部が設けられている。
また、ファンケース２には、外部からの冷却用の空気を吸入するための開口部１３が設けられ、かつ、それぞれのフィンカバー（例えば、フィンカバー５Ｇ）のファン１側の開口部と一致するようにガイド穴８Ｂ、８Ｇ、及び８Ｒをそれぞれ設けている。
【００１０】
この構成によって、例えば、フィンカバー５Ｇのファン１側のそれぞれの開口部から、ファンケース２のガイド穴８Ｇの冷却用の空気が出力され、放熱フィン４Ｂ、４Ｇ、及び４Ｒそれぞれから熱を奪ってファン１と反対側のフィンカバーの開口部を通って三板式カメラの外部に排出される。この時、フィンカバー５Ｇに導かれ、フィン４Ｇを覆い、反対側の開口部にファン１からの空気が他所流れることなく、すべて放熱フィン４Ｇのフィンからの熱を奪うように流れる。また他の放熱フィン４Ｂ及び４Ｒでも同様である。
このように、ファンケース２とフィンカバーにより、ファン１からの出力風は、すべて、ファンケース２のガイド穴から出力され、更に、フィンカバー５Ｂ、５Ｇ、及び５Ｒの開口部から放熱フィン４Ｂ、４Ｇ、及び４Ｒに流入し、フィンカバー５Ｂ、５Ｇ、及び５Ｒの反対方向の開口部から出力（排気）されるまで、ガイドされる。
なお、上記実施例では、ファン１側の冷却用の空気の出口にノズルやガイド用の仕切り板等の導翼形状を設け、放熱フィン４Ｂ、４Ｇ、及び４Ｒに、冷却用の空気を直接当てるようにしても良い。
【００１１】
本発明の一実施例を更に図１と図２によって説明する。図２は、図１の図からファン１、ファンケース２、ファンカバー３、放熱フィン４Ｂ、４Ｇ、４Ｒ、及び、フィンカバー５Ｂ、５Ｇ、５Ｒを除去した図である。６ＢはＢチャンネルの固体撮像素子、６ＧはＧチャンネルの固体撮像素子、６ＲはＲチャンネルの固体撮像素子、７Ｂは固体撮像素子６Ｂのセンサ基板、７Ｇは固体撮像素子６Ｇのセンサ基板、７Ｒは固体撮像素子６Ｒのセンサ基板である。
図２において、固体撮像素子６Ｂ、６Ｇ、及び６Ｒの発熱は、固体撮像素子６Ｂ、６Ｇ、及び６Ｒに、それぞれ取り付けられたセンサ基板７Ｂ、７Ｇ、及び７Ｒの中心部に設けられた穴より、固体撮像素子６Ｂ、６Ｇ、及び６Ｒの裏面に接する放熱フィン４Ｂ、４Ｇ、及び４Ｒにそれぞれ熱伝導される。
【００１２】
上記図１及び図２による実施例のように、放熱フィン４Ｂ、４Ｇ、及び４Ｒにそれぞれ伝導された熱を、放熱フィン４Ｂ、４Ｇ、及び４Ｒそれぞれの横に各々の放熱フィン４Ｂ、４Ｇ、及び４に密接するように設置した、内部にファン１を実装しファンケース２とファンカバー３を取付け、ファンカバー３の開口部１３よりファン１によって吸引された外気を、ファンケース２の出口より、各放熱フィン４Ｂ、４Ｇ、及び４Ｒの開口部を通過して、ほとんどすべて送出することができる。
【００１３】
図３〜図５によって、図１及び図２で説明した本発明の一実施例の三板式カメラの全体構成を説明する。図３は、本発明の三板式カメラの一実施例で、トップフレーム、両側のサイドパネルを除去した斜視図である。１０は三板式カメラ、１４は電子部品部、１５は電子部品１４の放熱フィン、１６はボトムフレーム、１７はリアパネル、１８はレンズマウントである。また、図４は、本発明の三板式カメラの一実施例で、トップフレームを除去して上方向からみた平面図である。また、フィンカバー（例えば、フィンカバー５Ｇ）を除去している。１９は右サイドカバー、２０は左サイドカバーである。また、図５は、図３の状態の三板式カメラ１０を右サイドから見た側面図である。
図３は、図１及び図２で説明した他は、従来例の図８とほぼ同じである。
【００１４】
なお、ファンケース２は、Ｂ、Ｇ、及びＲそれぞれの固体撮像素子６Ｂ、６Ｇ、及び６Ｒの放熱フィン４Ｂ、４Ｇ、及び４Ｒだけを、効率的に冷却するように放熱フィン４Ｂ、４Ｇ、及び４Ｒへ導くためのダクト形状、ノズル形状、若しくはガイド用の仕切り板等の導翼形状となっている。
また更に、ファンケース２から送出された外気は、放熱フィン４Ｂ、４Ｇ、及び４Ｒの中をすべて流れるようにフィンカバー（例えば、フィンカバー５Ｇ）が取り付けられている。
従って、上記実施例のように、ファンが吹き付ける外部から導入する冷却用の空気が、ダクト形状、ノズル形状、若しくは導翼形状の少なくとも１つの出口構成となるように設けられ、かつファンからの出力風が当該出口にだけ出力されるようにファンケースで密閉する構成とし、出口からの出力風が固体撮像素子用の冷却フィンに直接あたるように設けることにより、冷却用の空気により、放熱フィン４Ｂ、４Ｇ、及び４Ｒそれぞれを効率的に冷却するため、固体撮像素子６Ｂ、６Ｇ、及び６Ｒの温度上昇を抑制することが可能となる。
【図面の簡単な説明】
【００１５】
【図１】本発明の一実施例を説明するための図。
【図２】本発明の一実施例を説明するための図。
【図３】本発明の一実施例を説明するための図。
【図４】本発明の一実施例を説明するための図。
【図５】本発明の一実施例を説明するための図。
【図６】従来の三板式カメラの外観を示す斜視図。
【図７】図６の三板式カメラの両サイドの筐体板を取り外した図。
【図８】図６の三板式カメラの両サイドのサイドカバー及びトップフレームを取り外した斜視図。
【図９】図８の状態の三板式カメラ６０を右サイドから見た側面図。
【符号の説明】
【００１６】
１：ファン、  ２：ファンケース、  ３：ファンカバー、  ４Ｂ、４Ｇ、４Ｒ：放熱フィン、  ５Ｇ：フィンカバー、  ６Ｂ、６Ｇ、６Ｒ：固体撮像素子、  ７Ｂ、７Ｇ、７Ｒ：センサ基板、  ８Ｂ、８Ｇ、８Ｒ：ガイド穴、  １０は三板式カメラ、  １１：フロントパネル、  １１Ｂ、１１Ｇ、１１Ｒ：放熱フィン、  １２：３色分解プリズム、  １３：開口部、  １４：電子部品部、  １５：放熱フィン、  １６：ボトムフレーム、  １７：リアパネル、  １８：レンズマウント、  １９：右サイドカバー、  ２０：左サイドカバー、  ６０：三板式カメラ、  ６１：トップフレーム、  ６２：リアパネル、  ６３：右サイドカバー、  ６４：左サイドカバー、  ６５：フロントパネル、  ６６：ボトムフレーム、  ６７：吹き付け用のファン、  ６８：電子部品部、  ６９：放熱フィン、  ７１：接続端子用パネル部、  ７２：レンズマウント、  ７３：３色分解プリズム、  ８１：スリット孔、  ８２：スリット孔、  ８３：スリット孔、  ８４：開口部。
【図１】
2009206951.tif 000003
【図２】
2009206951.tif 000004
【図３】
2009206951.tif 000005
【図４】
2009206951.tif 000006
【図５】
2009206951.tif 000007
【図６】
2009206951.tif 000008
【図７】
2009206951.tif 000009
【図８】
2009206951.tif 000010
【図９】
2009206951.tif 000011